(57)【要約】【課題】  製造工程短縮およびコスト削減可能な携帯端末装置およびその表示装置の色調調整方法を提供する。【解決手段】  表示面１２を有する表示部５６と、表示面１２に対面可能に設けられたカメラ部２２と、を備えた携帯端末装置１であって、表示部５６に白色を表示する白色表示指示部１０３と、表示部５６に白色が表示された状態で、カメラ部２２が撮像した表示面１２の画像の３原色データをカメラ部２２からカメラ制御部５０を介して取得する３原色データ取得部１０５と、３原色データの基準値１１０を記憶するメモリ５４と、３原色データ取得部１０５が取得した３原色データで、メモリ５４の３原色データの基準値１１０を除算し、各色の補正パラメータ１１２を算出し、メモリ５４に記憶する補正パラメータ算出部１０７と、を備える。【選択図】      図４
2006148508.tif 000002
【特許請求の範囲】
【請求項１】
表示面を有する表示装置と、前記表示面に対面可能に設けられた撮像部と、を備えた携帯端末装置であって、
前記表示装置の前記表示面に基準色を表示する基準色表示部と、
前記表示装置に基準色が表示された状態で、前記撮像部が撮像した前記表示面の画像の色データを前記撮像部から取得する色データ取得部と、
基準色データを記憶する基準値記憶部と、
前記色データ取得部が取得した前記色データ、および前記基準値記憶部の前記基準色データを用いて、補正パラメータを算出する補正パラメータ算出部と、
前記補正パラメータを記憶する補正値記憶部と、
を備えたことを特徴とする携帯端末装置。
【請求項２】
請求項１に記載の携帯端末装置において、
前記色データ取得部が取得する前記色データは、３原色データであり、
前記基準値記憶部は、前記基準色データを３原色毎に有し、
前記補正パラメータ算出部は、前記色データ取得部が取得した前記３原色データ、および前記基準値記憶部の前記３原色毎の前記基準色データを用いて、各色の補正パラメータを算出することを特徴とする携帯端末装置。
【請求項３】
請求項１または２に記載の携帯端末装置において、
前記補正パラメータ算出部は、前記色データ取得部が取得した前記色データで、前記基準値記憶部の前記基準色データを除算し、補正パラメータを算出することを特徴とする携帯端末装置。
【請求項４】
請求項１乃至３いずれかに記載の携帯端末装置において、
前記補正値記憶部の前記補正パラメータを用いて前記画像を補正して前記表示装置に表示させる表示制御部を備えたことを特徴とする携帯端末装置。
【請求項５】
請求項４に記載の携帯端末装置において、
前記表示制御部は、
前記表示装置に表示させる画像を展開するＶＲＡＭと、
前記ＶＲＡＭに展開する画像を、前記補正値記憶部の前記補正パラメータを用いて補正する補正部と、
前記ＶＲＡＭ上の前記画像を前記表示面に表示させる表示ドライバと、
を含むことを特徴とする携帯端末装置。
【請求項６】
請求項４に記載の携帯端末装置において、
前記表示制御部は、
前記表示装置に表示させる画像を展開するＶＲＡＭと、
前記ＶＲＡＭ上の前記画像を前記表示面に表示させる表示ドライバと、を含み、
前記表示ドライバに前記補正値記憶部の前記補正パラメータを指示する指示部を含み、
前記表示ドライバが前記補正パラメータを用いて前記ＶＲＡＭ上の前記画像を補正して前記表示面に表示することを特徴とする携帯端末装置。
【請求項７】
請求項１乃至６いずれかに記載の携帯端末装置において、
前記表示面が設けられた蓋部と、
前記撮像部が設けられた本体部と、
前記蓋部の前記表示面および前記本体部の前記撮像部が対面可能に前記蓋部および前記本体部を連結する連結部と、
を備えた折り畳み型携帯端末装置であることを特徴とする携帯端末装置。
【請求項８】
表示面を有する表示装置と、前記表示面に対面可能に設けられた撮像部と、を備えた携帯端末装置の表示装置の色調調整方法であって、
前記表示装置の前記表示面に基準色を表示するステップと、
前記表示するステップで前記基準色が表示された前記表示面を撮像するステップと、
前記撮像するステップで得られた画像の色データを出力するステップと、
基準色データおよび補正パラメータを記憶する記憶部を準備するステップと、
前記出力するステップで出力した前記色データおよび前記記憶部の前記基準色データを用いて、補正パラメータを算出するステップと、
前記補正パラメータを前記記憶部に記憶するステップと、
を含むことを特徴とする携帯端末装置の表示装置の色調調整方法。
【請求項９】
請求項８に記載の色調調整方法において、
前記色データを出力するステップで出力する前記色データは、３原色データであり、
前記記憶部に３原色毎の前記基準色データを記憶するステップと、
前記補正パラメータを算出するステップは、
前記色データを出力するステップで出力した前記３原色データ、および前記記憶部の前記３原色毎の前記基準色データを用いて、各色の補正パラメータを算出するステップを含むことを特徴とする携帯端末装置の表示装置の色調調整方法。
【請求項１０】
請求項８または９に記載の色調調整方法において、
前記補正パラメータを算出するステップは、
前記色データを出力するステップで出力した前記色データで、前記基準色データを除算するステップを含むことを特徴とする携帯端末装置の表示装置の色調調整方法。
【請求項１１】
請求項８乃至１０いずれかに記載の色調調整方法において、
前記記憶部の前記補正パラメータを用いて画像を補正するステップと、
前記補正するステップで補正した前記画像を前記表示装置に表示するステップと、
を含むことを特徴とする携帯端末装置の表示装置の色調調整方法。
【請求項１２】
請求項１１に記載の色調調整方法において、
前記携帯端末装置は、前記表示装置に表示させる画像を展開するＶＲＡＭおよび表示ドライバを含み、
前記補正するステップで補正した前記画像を前記ＶＲＡＭに展開するステップと、
前記表示ドライバが前記ＶＲＡＭの前記画像を前記表示面に表示するステップと、
を含むことを特徴とする携帯端末装置の表示装置の色調調整方法。
【請求項１３】
請求項１１に記載の色調調整方法において、
前記携帯端末装置は、前記表示装置に表示させる画像を展開するＶＲＡＭおよび表示ドライバを含み、
前記表示ドライバに前記記憶部の前記補正パラメータを指示するステップと、
前記画像を前記ＶＲＡＭに展開するステップと、
前記表示ドライバが前記指示するステップで指示された前記補正パラメータを用いて前記ＶＲＡＭに展開するステップで展開した前記画像を補正するステップと、
前記表示ドライバが前記補正するステップで補正した前記画像を前記表示面に表示するステップと、
を含むことを特徴とする携帯端末装置の表示装置の色調調整方法。
【請求項１４】
表示面を有する表示装置と、
前記表示面に対面可能に設けられた撮像部と、
前記表示面に基準色を表示させたときの画像の基準色データを記憶する記憶部と、
前記表示面に画像を表示させる表示制御部と、
を備えた携帯端末装置を、
前記表示装置の前記表示面に基準色を表示する手段と、
前記表示面を撮像する手段と、
前記撮像する手段で得られた画像の色データを出力する手段と、
前記色データで、前記記憶部の前記基準色データを除算し、各色の補正パラメータを算出する手段と、
前記補正パラメータを前記記憶部に記憶する手段と、
前記表示制御部に前記記憶部の前記補正パラメータを用いて画像を補正させる手段と、
として機能させるための前記携帯端末装置の前記表示装置の色調調整プログラム。
【請求項１５】
請求項１４に記載の色調調整プログラムを実行する実行部と、
外部の端末と接続する外部接続端子と、
前記外部の端末から前記色調調整プログラムの起動コマンドを受信する受信部と、
を備え、
前記受信部が前記起動コマンドを受信したとき、前記実行部に前記色調調整プログラムを実行させることを特徴とする携帯端末装置。
【発明の詳細な説明】
【技術分野】
【０００１】
本発明は、携帯端末装置に関し、特に、携帯端末装置の表示装置の色調調整方法に関する。
【背景技術】
【０００２】
近年、ディジタルカメラ技術の進歩により、カメラ付き携帯端末装置が一般に広く普及してきている。カメラ付き携帯端末装置としては、たとえば、特許文献１に記載されたものがある。同文献に記載されたディジタルカメラ付き携帯情報端末は、カメラ部および表示部の液晶面を共に携帯端末装置の内面に向けて折り畳むことが可能な構造を有する。これにより、カメラ部および表示部の液晶面へのゴミの付着や傷や破損を回避させることができる。
【特許文献１】特開２０００−２７００６９号公報
【発明の開示】
【発明が解決しようとする課題】
【０００３】
一般に携帯端末装置は、液晶表示器などの表示装置を有するが、この表示装置の色調が目的のものからズレを生じる場合があるため、製造工程においては、色調調整が必要となる。この色調のズレによって、たとえば、表示装置に白色を表示させても、実際には、黄色っぽい色や青っぽい色に表示されてしまう。色調のズレの原因としては、たとえば、表示装置の液晶表示器の色調がずれていたり、液晶表示器の前面に設けられたクリアケースの透明度が濁っていたり、あるいは、液晶表示器の背面に設けられたバックライトの光の色が着色していたりすることなどが考えられる。
【０００４】
従来の携帯端末装置の製造時において、表示装置の色調調整は特別な専用治具、たとえば、携帯端末装置の表示装置の表示面に対向して設けられたカメラと、カメラ撮影時に撮影された画像が周辺状況に左右されないような遮光用の大きな囲いなどを用いて行われ、このカメラで撮影された画像に基づいて、色調の自動調整が行われたり、あるいは目視によって調整されたりしていたため、調整工程時間も長く必要としていた。
【０００５】
本発明は上記事情に鑑みてなされたものであり、その目的とするところは、製造工程短縮およびコスト削減可能な携帯端末装置およびその表示装置の色調調整方法を提供することにある。
【課題を解決するための手段】
【０００６】
本発明によれば、表示面を有する表示装置と、前記表示面に対面可能に設けられた撮像部と、を備えた携帯端末装置であって、
前記表示装置の前記表示面に基準色を表示する基準色表示部と、
前記表示装置に基準色が表示された状態で、前記撮像部が撮像した前記表示面の画像の色データを前記撮像部から取得する色データ取得部と、
基準色データを記憶する基準値記憶部と、
前記色データ取得部が取得した前記色データ、および前記基準値記憶部の前記基準色データを用いて、補正パラメータを算出する補正パラメータ算出部と、
前記補正パラメータを記憶する補正値記憶部と、
を備えたことを特徴とする携帯端末装置が提供される。
【０００７】
ここで、携帯端末装置とは、たとえば、携帯電話、ＰＤＡ、ノート型パソコンなどを含む。また、基準色とは、たとえば、白色であり、たとえば、３２ビットの３原色データで表現すると、ｒｇｂ（２５５，２５５，２５５）という基準値を有する。
【０００８】
この発明によれば、携帯端末装置内に内蔵されている撮像部を用いて、表示装置の色調調整を行うための補正パラメータを算出することができるので、色調調整専用の治具が不要となり、調整も自動的に行えるので、製造工程短縮およびコスト削減が図られる。
【０００９】
上記携帯端末装置において、前記色データ取得部が取得する前記色データは、３原色データであり、前記基準値記憶部は、前記基準色データを３原色毎に有し、前記補正パラメータ算出部は、前記色データ取得部が取得した前記３原色データ、および前記基準値記憶部の前記３原色毎の前記基準色データを用いて、各色の補正パラメータを算出することができる。
【００１０】
上記携帯端末装置において、前記補正パラメータ算出部は、前記色データ取得部が取得した前記色データで、前記基準値記憶部の前記基準色データを除算し、補正パラメータを算出することができる。
【００１１】
たとえば、色データ取得部が３原色データを取得する場合は、補正パラメータ算出部は、基準値記憶部の３原色毎の基準色データを、各３原色データで除算し、各色の補正パラメータを算出する。
【００１２】
上記携帯端末装置において、前記補正値記憶部の前記補正パラメータを用いて前記画像を補正して前記表示装置に表示させる表示制御部を備えることができる。
【００１３】
この構成によれば、携帯端末装置の表示装置の表示画像に基づいて算出された補正パラメータを用いて表示画像を補正することができ、表示装置の色調調整を自動的に行うことができる。
【００１４】
上記携帯端末装置において、前記表示制御部は、前記表示装置に表示させる画像を展開するＶＲＡＭと、前記ＶＲＡＭに展開する画像を、前記補正値記憶部の前記補正パラメータを用いて補正する補正部と、前記ＶＲＡＭ上の前記画像を前記表示面に表示させる表示ドライバと、
を含むことができる。
【００１５】
この構成によれば、表示ドライバが、補正パラメータの指定に対応していない場合であっても、表示装置の色調調整を行うことができる。
【００１６】
上記携帯端末装置において、前記表示制御部は、前記表示装置に表示させる画像を展開するＶＲＡＭと、前記ＶＲＡＭ上の前記画像を前記表示面に表示させる表示ドライバと、を含み、前記表示ドライバに前記補正値記憶部の前記補正パラメータを指示する指示部を含み、前記表示ドライバが前記補正パラメータを用いて前記ＶＲＡＭ上の前記画像を補正して前記表示面に表示することができる。
【００１７】
ここで、表示ドライバは、補正パラメータの指定の受け付けが可能であり、この構成によれば、補正パラメータの指示を行うだけで、表示装置の色調調整を行うことができる。
【００１８】
上記携帯端末装置において、前記表示面が設けられた蓋部と、前記撮像部が設けられた本体部と、前記蓋部の前記表示面および前記本体部の前記撮像部が対面可能に前記蓋部および前記本体部を連結する連結部と、を備えた折り畳み型携帯端末装置とすることができる。
【００１９】
この構成によれば、携帯端末装置を折り畳んだ状態で、内蔵の撮像部を用いて表示装置の色調調整を容易に行うことが可能となる。
【００２０】
本発明によれば、表示面を有する表示装置と、前記表示面に対面可能に設けられた撮像部と、を備えた携帯端末装置の表示装置の色調調整方法であって、
前記表示装置の前記表示面に基準色を表示するステップと、
前記表示するステップで前記基準色が表示された前記表示面を撮像するステップと、
前記撮像するステップで得られた画像の色データを出力するステップと、
基準色データおよび補正パラメータを記憶する記憶部を準備するステップと、
前記出力するステップで出力した前記色データおよび前記記憶部の前記基準色データを用いて、補正パラメータを算出するステップと、
前記補正パラメータを前記記憶部に記憶するステップと、
を含むことを特徴とする携帯端末装置の表示装置の色調調整方法が提供される。
【００２１】
本発明によれば、表示面を有する表示装置と、
前記表示面に対面可能に設けられた撮像部と、
前記表示面に基準色を表示させたときの画像の基準色データを記憶する記憶部と、
前記表示面に画像を表示させる表示制御部と、
を備えた携帯端末装置を、
前記表示装置の前記表示面に基準色を表示する手段と、
前記表示面を撮像する手段と、
前記撮像する手段で得られた画像の色データを出力する手段と、
前記色データで、前記記憶部の前記基準色データを除算し、各色の補正パラメータを算出する手段と、
前記補正パラメータを前記記憶部に記憶する手段と、
前記表示制御部に前記記憶部の前記補正パラメータを用いて画像を補正させる手段と、
として機能させるための前記携帯端末装置の前記表示装置の色調調整プログラムが提供される。
【００２２】
本発明によれば、上記色調調整プログラムを実行する実行部と、
外部の端末と接続する外部接続端子と、
前記外部の端末から前記色調調整プログラムの起動コマンドを受信する受信部と、
を備え、
前記受信部が前記起動コマンドを受信したとき、前記実行部に前記色調調整プログラムを実行させることを特徴とする携帯端末装置が提供される。
【００２３】
この発明によれば、色調調整を行うプログラムは、外部装置から起動コマンドを受信したときに実行されるので、通常の使用時にユーザの誤操作などによって誤って起動されることもなく、また製造時の調整工程において、外部装置に接続して外部から起動コマンドを送信するだけで、自動的にプログラムを実行することができる。さらにメンテナンス時にも、外部装置に接続して、外部から起動コマンドを送信するだけで、プログラムを実行させ、色調調整を自動的に行うことができるので、保守性も向上する。
【００２４】
なお、以上の構成要素の任意の組合せ、本発明の表現を方法、装置、システム、記録媒体、コンピュータプログラムなどの間で変換したものもまた、本発明の態様として有効である。
【発明の効果】
【００２５】
本発明によれば、製造工程短縮およびコスト削減可能な携帯端末装置およびその表示装置の色調調整方法が提供される。
【発明を実施するための最良の形態】
【００２６】
以下、本発明の実施の形態について、図面を用いて説明する。尚、すべての図面において、同様な構成要素には同様の符号を付し、適宜説明を省略する。
【００２７】
本発明の実施の形態に係る携帯端末装置（携帯端末装置１）は、表示面（表示面１２）を有する表示装置（表示部５６）と、表示面に対面可能に設けられた撮像部（カメラ部２２、カメラ制御部５０）と、を備えた携帯端末装置であって、表示装置に基準色を表示する基準色表示部（白色表示指示部１０３）と、表示装置に基準色が表示された状態で、撮像部が撮像した表示面の画像の色データを撮像部から取得する色データ取得部（３原色データ取得部１０５）と、基準色データ（基準値１１０）を記憶する基準値記憶部（メモリ５４）と、色データ取得部が取得した色データ、および基準値記憶部の基準色データを用いて、補正パラメータ（補正パラメータ１１２）を算出する補正パラメータ算出部（補正パラメータ算出部１０７）と、補正パラメータを記憶する補正値記憶部（メモリ５４）と、を備える。
【００２８】
（第一の実施の形態）
図１は、本実施形態の携帯端末装置の外観図である。携帯端末装置１は、表示面１２を有する蓋部１０と、キー配列部２４を有する本体部２０と、がヒンジ部３０によって折り畳み可能に設けられている。さらに、本体部２０は、表示面１２と対面可能に設けられたカメラ部２２を含む。本実施形態において、カメラ部２２は、本体部２０のキー配列部２４が配置された面に設けられた構成としたが、これに限定されない。たとえば、本体部２０に対して蓋部１０がヒンジ部３０を軸として回転可能に構成されている場合は、本体部２０のキー配列部２４が配置された面の裏面側にカメラ部２２を設けてもよい。カメラ部２２は、レンズ（不図示）と、ＣＣＤセンサ（不図示）と、を含む。
【００２９】
携帯端末装置１は、さらに外部接続端子部４０を含み、外部接続端子部４０を介して外部装置（不図示）から信号を送受信することができる。外部装置は、たとえば、パーソナルコンピュータなどであり、ＲＳ−２３２ＣやＵＳＢなどのシリアルポート（不図示）を有し、外部接続端子部４０と専用ケーブル（不図示）にて接続される。なお、本実施の形態において、携帯端末装置１は、携帯電話の場合について説明するが、これに限定されない、たとえば、ＰＤＡやノート型パソコンなどを含む。
【００３０】
図２は、図１の携帯端末装置１を折り畳み、カメラ部２２を表示面１２に対面させた状態を示した側面図である。カメラ部２２は、携帯端末装置１の蓋部１０と本体部２０を折り畳んだ状態で、表示面１２に表示された映像を撮影することができる。
【００３１】
図３は、携帯端末装置１のハードウェア構成の一例を示すブロック図である。携帯端末装置１は、表示面１２に設けられたクリアパネル（不図示）および液晶表示器（不図示）を有する表示部５６と、表示面１２に対面可能に設けられたカメラ部２２と、カメラ部２２を制御するカメラ制御部５０と、携帯端末装置１の各構成要素とともに装置全体を制御するＣＰＵ５２と、携帯端末装置１を制御する各種プログラムやデータを記憶するメモリ５４と、表示面１２の背面に設けられたバックライト５８と、表示部５６への表示を制御する表示コントローラ６０と、表示部５６に表示する画像が展開されるＶＲＡＭ６２と、表示部５６を制御する表示ドライバ６４と、を備える。
【００３２】
図４は、本実施形態の携帯端末装置１のＣＰＵ５２の機能を示す機能ブロック図である。
【００３３】
なお、携帯端末装置１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。また、各図において、本発明の本質に関わらない部分の構成については省略してある。
【００３４】
ＣＰＵ５２は、バックライト制御部１０１と、白色表示指示部１０３と、３原色データ取得部１０５と、補正パラメータ算出部１０７と、補正パラメータ指示部１２０と、を含む。また、メモリ５４は、基準値１１０および補正パラメータ１１２を記憶する。ここで、基準値１１０は、基準となる白色の３原色データであり、白色の赤、緑、青の３原色データを含み、たとえば、３２ビットの３原色データで表現すると、ｒｇｂ（２５５，２５５，２５５）という基準値を有する。
【００３５】
バックライト制御部１０１は、バックライト５８の点灯消灯を制御する。白色表示指示部１０３は、表示部５６に白色表示させる指示を行う。３原色データ取得部１０５は、バックライト５８を点灯し、表示部５６に白色が表示された状態で、カメラ部２２が表示面１２を撮影し、得られた画像の３原色データがカメラ部２２からカメラ制御部５０を介してＣＰＵ５２に入力され、その３原色データを取得する。３原色データとは、赤、緑、青の３原色データである。
【００３６】
補正パラメータ算出部１０７は、３原色データ取得部１０５が取得した各３原色データで、メモリ５４に記憶されている基準値１１０を除算し、各色毎に補正パラメータを算出し、算出された補正パラメータ１１２をメモリ５４に記憶する。補正パラメータ指示部１２０は、メモリ５４から補正パラメータ１１２を読み出し、表示ドライバ６４に受け渡し、補正を指示する。
【００３７】
このように構成された携帯端末装置１の色調調整時の動作について説明する。はじめに、携帯端末装置１の色調補正用パラメータの算出時の動作について説明する。図５は、携帯端末装置１の色調補正用補正パラメータ算出時の動作の一例を示すフローチャートである。
【００３８】
まず、携帯端末装置１の表示面１２およびカメラ部２２を対面させる（ステップＳ１１）。ここでは、携帯端末装置１を折り畳む。つづいて、白色表示指示部１０３が表示部５６に白色を表示させる（ステップＳ１３）。つづいて、バックライト制御部１０１がバックライト５８を点灯する（ステップＳ１５）。そして、カメラ部２２が表示面１２の映像を撮影する（ステップＳ１７）。
【００３９】
つづいて、３原色データ取得部１０５が３原色データをカメラ部２２からカメラ制御部５０を介して取得する（ステップＳ１９）。補正パラメータ算出部１０７が、取得した３原色データの各色のデータで、メモリ５４の各色の基準値１１０を除算し、赤、緑、青の各色の補正パラメータ１１２を算出する（ステップＳ２１）。そして、補正パラメータ１１２をメモリ５４に記憶する（ステップＳ２３）。
【００４０】
このようにして、各色の補正パラメータ１１２がメモリ５４に記憶される。たとえば、ステップＳ１９で取得した３原色データが、ｒｂｇ（２５５，２５４，２５３）であった場合、各色の補正パラメータ１１２は、（１，１．００３９，１．００７９）となる。
【００４１】
つづいて、この補正パラメータ１１２を用いて、表示部５６に画像を表示させるときの動作について、説明する。図６は、携帯端末装置１の表示部５６の色調補正時の動作の一例を示すフローチャートである。
【００４２】
まず、表示部５６がＶＲＡＭ６２に画像を展開する（ステップＳ３１）。つづいて、表示コントローラ６０が表示ドライバ６４にＶＲＡＭ６２に展開された画像を受け渡す（ステップＳ３３）。つづいて、表示ドライバ６４が補正パラメータ指示部１２０から指示された補正パラメータ１１２を使用して画像を補正して表示する。すなわち、表示用の３原色データに各色の補正パラメータ１１２を乗算することにより表示データが補正される。
【００４３】
なお、図５および図６に示された動作は、プログラムによって実現され、プログラムはメモリ５４に記憶される。携帯端末装置１は、外部接続端子部４０を介してパーソナルコンピュータから起動コマンドを受信する受信部（不図示）を有し、起動コマンドを受信することによりプログラムが起動される。このように、色調調整を行う上記プログラムは、外部接続端子部４０を介して起動コマンドを受信したときに実行されるので、通常の使用時にユーザがキー配列部２４のキーを操作することにより誤って起動されることもない。また製造時の調整工程において、外部装置に接続して外部から起動コマンドを送信するだけで、自動的にプログラムを実行することができる。さらにメンテナンス時にも、パーソナルコンピュータから外部接続端子部４０を介してプログラムの起動コマンドを送信することにより色調調整のプログラムを実行させ、色調調整を自動的に行うことができるので、保守性も向上する。
【００４４】
以上説明したように、本実施形態の携帯端末装置１によれば、特別な治具を必要とせずに、短時間で携帯端末装置１の表示装置の色調補正が自動的に可能となり、製造工程の短縮およびコスト削減を図ることができる。
【００４５】
（第二の実施の形態）
図７は、本発明の他の実施の形態に係る携帯端末装置１の要部構成を示す機能ブロック図である。図７の携帯端末装置１は、上記実施の形態とは、表示ドライバ６４が補正パラメータ１１２による色調補正機能を有さない点で相違する。
【００４６】
携帯端末装置１は、補正部１３０と、画像書込部１３２と、を含む。補正部１３０は、メモリ５４から補正パラメータ１１２を読み出し、ＶＲＡＭ６２に展開する画像データに補正パラメータ１１２を乗算して、画像書込部１３２に受け渡す。画像書込部１３２は、補正部１３０が補正した画像データをＶＲＡＭ６２に展開する。
【００４７】
このように構成された携帯端末装置１の表示装置の色調調整時の動作について説明する。図８は、本実施形態の携帯端末装置１の動作の一例を示すフローチャートである。ここでは、図３、図７および図８を用いて説明する。まず、補正部１３０が、ＶＲＡＭ６２に展開する画像をメモリ５４から読み出した補正パラメータ１１２を用いて補正する（ステップＳ４１）。具体的には、補正パラメータ１１２を画像データに乗算し、画像書込部１３２がＶＲＡＭ６２に補正された画像データを書き込む。
【００４８】
つづいて、図３の表示コントローラ６０が表示ドライバ６４にＶＲＡＭ６２の画像を受け渡す（ステップＳ４３）。そして、表示ドライバ６４が表示部５６に画像を表示する（ステップＳ４５）。
【００４９】
以上説明したように、本実施形態の携帯端末装置１によれば、表示ドライバ６４が色調補正用の補正パラメータ１１２に対応していない場合であっても、色調補正を行うことができる。
【００５０】
以上、図面を参照して本発明の実施形態について述べたが、これらは本発明の例示であり、上記以外の様々な構成を採用することもできる。
【００５１】
たとえば、上記実施の形態において、表示部５６として、液晶表示器とバックライトを用いた構成について説明したが、これに限定されない。たとえば、表示部５６としては、有機ＥＬディスプレイ等の他のデバイスを用いることもできる。また、カメラ部２２としては、ＣＣＤセンサを用いた構成について説明したが、これに限定されない、たとえば、ＣＭＯＳカメラであってもよい。また、カメラ部２２は、ＣＩＦ（Common Intermediate Format）に対応したカメラとすることができる。
【００５２】
また、上記実施の形態において、外部接続端子部４０を介してプログラムの起動コマンドを受信して、色調調整を行うプログラムを起動する構成について説明したが、これに限定されない。たとえば、プログラムの各ステップの処理を実行指示する各コマンドを受信するコマンド受信部を設けてもよく、コマンド受信部が受信したコマンドに従って、各ステップをそれぞれ実行させる構成とすることもできる。
【図面の簡単な説明】
【００５３】
【図１】本発明の実施の形態に係る携帯端末装置の外観図である。
【図２】図１の携帯端末装置の折り畳み時の側面図である。
【図３】図１の携帯端末装置のハードウェア構成の一例を示すブロック図である。
【図４】図３の携帯端末装置のＣＰＵの機能を示す機能ブロック図である。
【図５】図４の携帯端末装置の色調補正用補正パラメータ算出時の動作の一例を示すフローチャートである。
【図６】図４の携帯端末装置の表示部の色調補正時の動作の一例を示すフローチャートである。
【図７】他の実施の形態に係る携帯端末装置の要部構成を示す機能ブロック図である。
【図８】図７の携帯端末装置の表示部の色調補正時の動作の一例を示すフローチャートである。
【符号の説明】
【００５４】
１  携帯端末装置
１０  蓋部
１２  表示面
２０  本体部
２２  カメラ部
２４  キー配列部
３０  ヒンジ部
４０  外部接続端子部
５０  カメラ制御部
５２  ＣＰＵ
５４  メモリ
５６  表示部
５８  バックライト
６０  表示コントローラ
６２  ＶＲＡＭ
６４  表示ドライバ
１０１  バックライト制御部
１０３  白色表示指示部
１０５  ３原色データ取得部
１０７  補正パラメータ算出部
１１０  基準値
１１２  補正パラメータ
１２０  補正パラメータ指示部
１３０  補正部
１３２  画像書込部
【図１】
2006148508.tif 000003
【図２】
2006148508.tif 000004
【図３】
2006148508.tif 000005
【図４】
2006148508.tif 000006
【図５】
2006148508.tif 000007
【図６】
2006148508.tif 000008
【図７】
2006148508.tif 000009
【図８】
2006148508.tif 000010